(57)【要約】【課題】複数の操作をすることなく、足元に積極的に温風を吹き出して温める運転モードを選択することで足元暖房運転ができる操作性の良好な空気調和機を提供する。【解決手段】上記リモートコントローラ２の操作部に対する１つの操作により、室内の足元を暖める運転モードを指令する指令信号がリモートコントローラ２から出力されると、その指令信号を受けた制御装置１は、室内の足元を暖めるように、室内ファン用モータ３と水平フラップ用モータ５およびインバータ７を制御して、室内ファン４の風量を通常の暖房運転時よりも多くし、水平フラップ６を他の運転モードにおけるスイング範囲の下限よりもさらに下向きにし、さらに、圧縮機８の回転数を上げて暖房運転能力を通常の暖房運転モード時よりも大きくする。【選択図】図１
2005061664.tif 000002
【特許請求の範囲】
【請求項１】
吹き出し空気の風向を上下方向に制御する水平フラップ(６)を備え、少なくとも暖房運転を行う空気調和機であって、
室内ファン(４)を駆動する室内ファン用モータ(３)と、
上記水平フラップ(６)を駆動する水平フラップ用モータ(５)と、
圧縮機(８)を駆動するインバータ(７)と、
１つの操作により、室内の足元を暖める運転モードを選択する選択手段と、
上記選択手段に対する１つの操作により上記室内の足元を暖める運転モードが選択されると、室内の足元を暖めるように、上記室内ファン用モータ(３)と上記水平フラップ用モータ(５)および上記インバータ(７)を制御する制御装置(１)とを備えたことを特徴とする空気調和機。
【請求項２】
請求項１に記載の空気調和機において、
上記選択手段は、操作部に対する１つの操作により、室内の足元を暖める運転モードを指令する指令信号を出力するリモートコントローラ(２)であり、
上記リモートコントローラ(２)からの上記指令信号を受けた上記制御装置(１)は、室内の足元を暖めるように、上記室内ファン用モータ(３)と上記水平フラップ用モータ(５)および上記インバータ(７)を制御することを特徴とする空気調和機。
【請求項３】
請求項１に記載の空気調和機において、
上記制御装置(１)は、上記室内の足元を暖める運転モード時に上記室内ファン用モータ(３)を制御して吹出風量を通常の暖房運転モード時よりも多くすることを特徴とする空気調和機。
【請求項４】
請求項１に記載の空気調和機において、
上記制御装置(１)は、上記室内の足元を暖める運転モード時に上記インバータ(７)を制御して暖房運転能力を通常の暖房運転モード時よりも大きくすることを特徴とする空気調和機。
【請求項５】
請求項１に記載の空気調和機において、
上記制御装置(１)は、上記室内の足元を暖める運転モード時に、上記室内ファン用モータ(３)を制御して吹出風量を通常の暖房運転モード時よりも多くすると共に、上記インバータ(７)を制御して暖房運転能力を通常の暖房運転モード時よりも大きくすることを特徴とする空気調和機。
【請求項６】
請求項１乃至５のいずれか１つに記載の空気調和機において、
上記室内の足元を暖める運転モード時に、上記水平フラップ(６)を上記室内の足元を暖める運転モード以外の運転モードにおけるスイング範囲の下限よりもさらに下向きにすることを特徴とする空気調和機。
【発明の詳細な説明】
【技術分野】
【０００１】
この発明は、空気調和機に関する。
【背景技術】
【０００２】
従来、空気調和機としては、室内空間の上部だけが暖まって足元が寒いという不満を解決するために、風向板を垂直に向ける壁掛け型の空気調和機がある(例えば、特開２００１−４１５２９号公報(特許文献１)参照)。このような風向板を垂直に向けて足元を暖める空気調和機の一般的な風向制御処理を説明するためのフローチャートを図８に示している。なお、この風向制御処理前は水平フラップが停止している状態とする。
【０００３】
図８に示す風向制御処理では、まず、ステップＳ２１で風向ボタンを押したか否かを判断して、風向ボタンを押したと判断すると、ステップＳ２２に進む一方、風向ボタンを押していないと判断すると、このステップＳ２１を繰り返す。そして、ステップＳ２２では、風向制御をスイングさせる(ステップＳ２２の右側のリモコン表示参照)。次に、ステップＳ２３に進み、風向ボタンを押したか否かを判断して、風向ボタンを押したと判断すると、ステップＳ２４に進む一方、風向ボタンを押していないと判断すると、このステップＳ２１に戻る。そして、ステップＳ２４では、風向制御を停止する(ステップＳ２４の右側のリモコン表示参照)。
【０００４】
また、上記空気調和機の風量制御は、図９(a)のリモコン表示に示すように、「微」、「弱」、「強」とその中間の５段階のいずれか、または、図９(b)のリモコン表示に示す「風量自動」を風量ボタンを押すことで切り換える。
【０００５】
さらに、上記空気調和機の能力制御は、空調負荷(設定温度−室内温度)の大小に応じて圧縮機の回転数を高低に制御しており、温度設定ボタンを押して設定温度を変えることで能力を変更する。
【０００６】
このように、上記空気調和機では、風向、風量、能力の制御は、基本的にそれぞれ独立した制御としている。
【０００７】
したがって、上記空気調和機では、足元を暖めるために風向操作と風量操作および温度設定操作などの複数の操作をしなければならないため、通常の運転モードから足元を暖めたいときに同様の複数操作をその度にしなければならないため、操作性が悪いという欠点がある。
【特許文献１】特開２００１−４１５２９号公報
【発明の開示】
【発明が解決しようとする課題】
【０００８】
そこで、この発明の目的は、複数の操作をすることなく、足元に積極的に温風を吹き出して温める運転モードを選択することで足元暖房運転ができる操作性の良好な空気調和機を提供することにある。
【課題を解決するための手段】
【０００９】
上記目的を達成するため、この発明の空気調和機は、吹き出し空気の風向を上下方向に制御する水平フラップを備え、少なくとも暖房運転を行う空気調和機であって、室内ファンを駆動する室内ファン用モータと、上記水平フラップを駆動する水平フラップ用モータと、圧縮機を駆動するインバータと、１つの操作により室内の足元を暖める運転モードを選択する選択手段と、上記選択手段に対する１つの操作により、上記室内の足元を暖める運転モードが選択されると、室内の足元を暖めるように、上記室内ファン用モータと上記水平フラップ用モータおよび上記インバータを制御する制御装置とを備えたことを特徴とする。
【００１０】
上記構成の空気調和機によれば、上記選択手段に対する１つの操作により上記室内の足元を暖める運転モードが選択されると、上記制御装置は、室内の足元を暖めるように、上記室内ファン用モータと水平フラップ用モータおよびインバータを制御する。例えば、室内ファン用モータの回転数を上げて風量を増やし、水平フラップを通常運転モードのスイング範囲の下限よりも下方に向け、さらに圧縮機の回転数を上げて暖房運転能力を上げることにより、足元に積極的に温風を吹き出して温めることが可能となる。したがって、複数の操作をすることなく、足元に積極的に温風を吹き出して温める運転モードを指定することで足元暖房運転ができ、操作性を向上できる。
【００１１】
一実施形態の空気調和機は、上記選択手段が、操作部に対する１つの操作により、室内の足元を暖める運転モードを指令する指令信号を出力するリモートコントローラであり、上記リモートコントローラからの上記指令信号を受けた上記制御装置は、室内の足元を暖めるように、上記室内ファン用モータと上記水平フラップ用モータおよび上記インバータを制御することを特徴とする。
【００１２】
上記実施形態の空気調和機によれば、手元のリモートコントローラの操作部に対する１つの操作により、室内の足元を暖める運転モードを選択できるので、必要なときにすぐに足元を暖めることができる。
【００１３】
一実施形態の空気調和機は、上記制御装置が、上記室内の足元を暖める運転モード時に上記室内ファン用モータを制御して吹出風量を通常の暖房運転モード時よりも多くすることを特徴とする。
【００１４】
上記実施形態の空気調和機によれば、上記室内の足元を暖める運転モード時は、吹出風量を通常の暖房運転モード時よりも多くなるように室内ファン用モータを制御することによって、足元まで吹き出し空気を届きやすくして、足元を効果的に暖めることができる。
【００１５】
一実施形態の空気調和機は、上記制御装置が、上記室内の足元を暖める運転モード時に上記インバータを制御して暖房運転能力を通常の暖房運転モード時よりも大きくすることを特徴とする。
【００１６】
上記実施形態の空気調和機によれば、上記室内の足元を暖める運転モード時は、暖房運転能力を通常の暖房運転モード時よりも大きくなるようにインバータを制御することによって、足元に達する吹き出し空気の温度を上げて、足元を効果的に暖めることができる。
【００１７】
一実施形態の空気調和機は、上記制御装置が、上記室内の足元を暖める運転モード時に、上記室内ファン用モータを制御して吹出風量を通常の暖房運転モード時よりも多くすると共に、上記インバータを制御して暖房運転能力を通常の暖房運転モード時よりも大きくすることを特徴とする。
【００１８】
上記実施形態の空気調和機によれば、上記室内の足元を暖める運転モード時は、吹出風量を通常の暖房運転モード時よりも多くなるように室内ファン用モータを制御することによって、足元まで吹き出し空気を届きやすくして、足元を効果的に暖めることができる。また、上記室内の足元を暖める運転モード時は、暖房運転能力を通常の暖房運転モード時よりも大きくなるようにインバータを制御することによって、足元に達する吹き出し空気の温度を上げて、足元を効果的に暖めることができる。
【００１９】
一実施形態の空気調和機は、上記室内の足元を暖める運転モード時に、上記水平フラップを上記室内の足元を暖める運転モード以外の運転モードにおけるスイング範囲の下限よりもさらに下向きにすることを特徴とする。
【００２０】
上記実施形態の空気調和機によれば、上記水平フラップを上記室内の足元を暖める運転モード以外の運転モードにおけるスイング範囲の下限よりもさらに下向きにすることによって、吹き出し空気が足元により届きやすくなり、足元をより効果的に暖めることができる。
【発明の効果】
【００２１】
以上より明らかなように、この発明の空気調和機によれば、複数の操作をすることなく、足元に積極的に温風を吹き出して温める運転モードを指定することで足元暖房運転ができる操作性の良好な空気調和機を実現することができる。
【００２２】
また、一実施形態の空気調和機によれば、上記選択手段にリモートコントローラを用いることによって、手元のリモートコントローラの操作部に対する１つの操作により、室内の足元を暖める運転モードを選択できるので、必要なときにすぐに足元を暖めることができる。
【００２３】
また、一実施形態の空気調和機によれば、上記室内の足元を暖める運転モード時は、吹出風量を通常の暖房運転モード時よりも多くなるように室内ファン用モータを制御することによって、足元まで吹き出し空気を届きやすくして、足元を効果的に暖めることができる。
【００２４】
また、一実施形態の空気調和機によれば、上記室内の足元を暖める運転モード時は、暖房運転能力を通常の暖房運転モード時よりも大きくなるようにインバータを制御することによって、足元に達する吹き出し空気の温度を上げて、足元を効果的に暖めることができる。
【００２５】
また、一実施形態の空気調和機によれば、上記室内の足元を暖める運転モード時は、吹出風量を通常の暖房運転モード時よりも多くなるように室内ファン用モータを制御して、足元まで吹き出し空気を届きやすくすると共に、暖房運転能力を通常の暖房運転モード時よりも大きくなるようにインバータを制御して、足元に達する吹き出し空気の温度を上げるので、足元を効果的に暖めることができる。
【００２６】
また、一実施形態の空気調和機によれば、上記水平フラップを上記室内の足元を暖める運転モード以外の運転モードにおけるスイング範囲の下限よりもさらに下向きにすることによって、吹き出し空気が足元により届きやすくなり、足元をより効果的に暖めることができる。
【発明を実施するための最良の形態】
【００２７】
以下、この発明の空気調和機を図示の実施の形態により詳細に説明する。
【００２８】
図１はこの発明の実施の一形態の空気調和機の要部のブロック図であり、１は制御装置、２は上記制御装置１に指令信号を送信する送信部２aを有する選択手段の一例としてのリモートコントローラ、３は室内ファン用モータ、４は上記室内ファン用モータ３により駆動される室内ファン、５は水平フラップ用モータ、６は上記水平フラップ用モータ５により駆動される水平フラップ、７はインバータ、８は上記インバータ７により駆動される圧縮機である。上記圧縮機８により図示しない冷媒回路に冷媒を循環させる。
【００２９】
上記制御装置１は、マイクロコンピュータと入出力回路等からなり、リモートコントローラ２の送信部２aからの赤外線の指令信号を受信する受信部１aを備えている。上記受信部１aにより受信された指令信号に基づいて、制御装置１は、室内ファン用モータ３と水平フラップ用モータ５およびインバータ７などを制御する。
【００３０】
なお、この実施の形態の空気調和機は、室外ユニット(図示せず)と室内ユニット(図２に示す)を備えており、上記制御部１,インバータ７などは室外ユニット内に配置され、室内用ファンモータ３と室内ファン４などは室内ユニット内に配置されている。ただし、制御装置１の受信部１aなどの一部は、室内ユニット内に配置されている。
【００３１】
図２は上記空気調和機の室内ユニット１０の模式図を示しており、図２に示すように、室内ユニット１０は、ケーシング１３内に配置された室内ファン４と、上記室内ファン４の風下側に設けられた吹出口１０aに配置された水平フラップ６とを備えている。図２に示すように、水平フラップ６を角度θのスイング範囲(Ｐ１〜Ｐ２)で回動させて、吹き出し空気の風向を上下方向に制御する。
【００３２】
また、図３は上記リモートコントローラ２の正面図を示しており、このリモートコントローラ２は、本体２０の上側に設けられた表示部２１と、本体２０の上側に設けられた操作部からなる。図３において、２２は上記本体２０の下側に設けられた操作カバー、２３は運転／停止用の押ボタン、２４は冷房用の押ボタン、２５は暖房用の押ボタン、２６は「加湿」用の押ボタン、２７は「除湿」用の押ボタン、２８は温度設定用ボタン、２９は湿度設定用ボタンである。図３の表示部２１では、加湿暖房運転時の一例を示している。
【００３３】
また、図４は上記リモートコントローラ２の操作カバー２２を開いた状態の正面図を示しており、図４において、３１は「風量」用の押ボタン、３２は「風向上下」用の押ボタン、３３は「風向左右」用の押ボタン、３４は「下吹き」用の押ボタン、３５は「ゆらぎ」用の押ボタン、３６は「ハイパワー」用の押ボタン、３７は「設定切換」用の押ボタン、３８はタイマーの「切設定」用の押ボタン、３９はタイマーの「入設定」用の押ボタンである。また、４１はタイマーの「すすむ」「もどる」用の押ボタン、４２は「取消」用の押ボタン、４３は「ハウスキープ」用の押ボタンである。
【００３４】
また、図５(a)〜(d)は上記リモートコントローラ２の表示部２１の表示例を示す図である。図５(a)は水平フラップ６(図１に示す)が所定のスイング範囲でスイングさせて吹き出し空気の風向を上下方向に繰り返し変化させているときの表示であり、図５(b)は水平フラップ６を停止させているときの表示であり、図５(c)は風向が下向きのときの表示であり、図５(d)は吹き出し空気の風量を自動的に設定するときの表示である。
【００３５】
図６は上記空気調和機の暖房運転時の風向制御処理を説明するためのフローチャートを示しており、図６にしたがって風向制御処理について以下に説明する。なお、この風向制御処理前は水平フラップ６が停止している状態とする。
【００３６】
まず、風向制御処理がスタートすると、ステップＳ１で下吹きモード(室内の足元を暖める運転モード)のボタンを押したか否かを判断する。ここで、下吹きモードのボタンとは、図４に示すリモートコントローラ２の「下吹き」用の押ボタン３４のことである。そして、ステップＳ１で下吹きモードのボタンを押したと判断すると、ステップＳ４に進む一方、下吹きモードのボタンを押していないと判断すると、ステップＳ２に進む。
【００３７】
ステップＳ４では、下吹きモードとし、ステップＳ５に進む。このステップＳ４では、制御装置１により室内ファン用モータ３と水平フラップ用モータ５およびインバータ７を制御することによって、足元に積極的に温風を吹き出して温める。
【００３８】
次に、ステップＳ５で、風向ボタンを押したか否かを判断する。ここで、風向ボタンとは、図４に示すリモートコントローラ２の「風向上下」用の押ボタン３２のことである。そして、ステップＳ５風向押ボタンを押したと判断すると、ステップＳ３に進む一方、風向押ボタンを押していないと判断すると、このステップＳ５を繰り返す。
【００３９】
一方、ステップＳ２で風向ボタンを押したか否かを判断して、風向ボタンを押したと判断すると、ステップＳ３に進む一方、風向ボタンを押していないと判断すると、ステップＳ１に戻る。
【００４０】
そうして、ステップＳ３では、スイング範囲Ｐ１〜Ｐ２の間で風向制御をスイングにする。すなわち、現在停止している位置から水平フラップ６の回動を開始する。
【００４１】
次に、ステップＳ６に進み、下吹きモードのボタンを押したか否かを判断して、下吹きモードのボタンを押したと判断すると、ステップＳ９に進む一方、下吹きモードのボタンを押していないと判断すると、ステップＳ７に進む。
【００４２】
ステップＳ９では、下吹きモードとし、ステップＳ１０に進む。このステップＳ９では、制御装置１により室内ファン用モータ３と水平フラップ用モータ５およびインバータ７を制御することによって、足元に積極的に温風を吹き出して温める。
【００４３】
次に、ステップＳ１０で、風向ボタンを押したか否かを判断する。そして、ステップＳ１０で風向押ボタンを押したと判断すると、ステップＳ８に進む一方、風向押ボタンを押していないと判断すると、このステップＳ１０を繰り返す。
【００４４】
一方、ステップＳ７で風向ボタンを押したか否かを判断して、風向ボタンを押したと判断すると、ステップＳ８に進む一方、風向ボタンを押していないと判断すると、ステップＳ６に戻る。
【００４５】
そして、ステップＳ８でスイング範囲Ｐ１〜Ｐ２に修正して風向制御を停止して、ステップＳ１に戻り、この処理を続ける。
【００４６】
このように、風向制御処理では、風向ボタンの操作だけでは、風向制御が停止かスイングとなり、そのいずれの状態からも下吹きモードのボタンが押されると、下吹きモードに移行し、足元を暖房する運転モードとなる。そして、足元を暖房する運転モード時に、再び風向ボタンが押されると、通常の暖房運転モードに戻り、風向制御が停止かスイングのいずれか一方となる。
【００４７】
次に、図７は上記空気調和機の能力制御処理を説明するためのフローチャートを示している。図７に示すように、能力制御処理がスタートすると、ステップＳ１１で下吹きモードか否かを判断して、下吹きモードであると判断すると、ステップＳ１２に進み、下吹き対応範囲で能力制御して、この処理を終了する。このときの下吹き対応範囲で能力制御とは、暖房運転能力を通常の暖房運転モード時よりも大きくなるようにインバータ７を制御することである。
【００４８】
一方、ステップＳ１１で下吹きモードでないと判断すると、ステップＳ１３に進み、通常使用範囲で能力制御して、この処理を終了する。
【００４９】
この能力制御処理は、上記風向制御処理と並行して行われ、下吹きモードすなわち室内の足元を暖める運転モードが選択されると、水平フラップ６を室内の足元を暖める運転モード以外の運転モードにおけるスイング範囲(Ｐ１〜Ｐ２)の下限よりもさらに下向き(図２に示すＰ３の位置)にすると同時に、暖房運転能力を大きくして、足元を暖める。このとき、吹き出し空気の風量は、足元まで空気を到達させるために風量自動とし、室内熱交換器(図示せず)の温度に基づいて表１に示すように風量を自動的に設定する。
【００５０】
【表１】
2005061664.tif 000003
【００５１】
上記表１に示すように、下吹きモード(足元を暖める運転モード)のときは、室内熱交換器の温度が４９℃未満から３９℃において、通常の運転モードのときの「微」としている風量設定を「弱」とし、風量下限制限をして、足元まで風を届きやすくしている。
【００５２】
上記空気調和機によれば、リモートコントローラ２の操作部に対する１つの操作によって、室内ファン用モータ３と水平フラップ用モータ５およびインバータ７を制御装置１により制御することで、足元に積極的に温風を吹き出して温めることが可能となる。したがって、複数の操作をすることなく、足元に積極的に温風を吹き出して温める運転モードを選択することで足元暖房運転ができる操作性の良好な空気調和機を実現することができる。
【００５３】
また、選択手段としてリモートコントローラ２を用いることによって、手元のリモートコントローラ２の操作部に対する１つの操作により室内の足元を暖める運転モードを選択できるので、必要なときにすぐに足元を暖めることができる。
【００５４】
また、上記室内の足元を暖める運転モード時は、吹出風量を通常の暖房運転モード時よりも多くなるように室内ファン用モータ３を制御することによって、足元まで吹き出し空気を届きやすくして、足元を効果的に暖めることができる。
【００５５】
また、上記室内の足元を暖める運転モード時は、暖房運転能力を通常の暖房運転モード時よりも大きくなるようにインバータ７を制御することによって、足元に達する吹き出し空気の温度を上げて、足元を効果的に暖めることができる。
【００５６】
また、上記水平フラップ６を室内の足元を暖める運転モード以外の運転モードにおけるスイング範囲(Ｐ１〜Ｐ２)の下限よりもさらに下向きにすることによって、吹き出し空気が足元により届きやすくなり、足元を効果的に暖めることができる。
【００５７】
上記実施の形態では、暖房運転を行う空気調和機について説明したが、暖房運転以外に冷房運転や除湿,加湿運転などを行う空気調和機にこの発明を適用してもよい。
【００５８】
また、上記実施の形態では、選択手段としてリモートコントローラを用いたが、選択手段はこれに限らず、本体側に設けられた操作部などであってもよく、空気調和機の構成に応じた操作部に適宜適用すればよい。
【図面の簡単な説明】
【００５９】
【図１】図１はこの発明の実施の一形態の空気調和機の要部のブロック図である。
【図２】図２は上記空気調和機の室内ユニットの模式図である。
【図３】図３は上記空気調和機のリモートコントローラの正面図である。
【図４】図４は上記リモートコントローラの操作カバーを開いた状態の正面図である。
【図５】図５(a)〜(d)は上記リモートコントローラの表示部の表示例を示す図である。
【図６】図６は上記空気調和機の風向制御処理を説明するためのフローチャートである。
【図７】図７は上記空気調和機の能力制御処理を説明するためのフローチャートである。
【図８】図８は従来の空気調和機の風向制御処理を説明するためのフローチャートである。
【図９】図９は上記空気調和機のリモートコントローラの表示部の表示例を示す図である。
【符号の説明】
【００６０】
１…制御装置、
２…リモートコントローラ、
３…室内ファン用モータ、
４…室内ファン、
５…水平フラップ用モータ、
６…水平フラップ、
７…インバータ、
８…圧縮機、
１０…室内ユニット、
３４…「下吹き」用の押ボタン。
【図１】
2005061664.tif 000004
【図２】
2005061664.tif 000005
【図５】
2005061664.tif 000006
【図６】
2005061664.tif 000007
【図７】
2005061664.tif 000008
【図８】
2005061664.tif 000009
【図９】
2005061664.tif 000010
【図３】
2005061664.tif 000011
【図４】
2005061664.tif 000012